(57)【要約】【課題】  各駅の設備状態を監視制御する各駅監視端末のバックアップを、操作員の負荷を増大することなく容易に行う。【解決手段】  各駅の設備状態を監視制御する各駅監視端末３〜５とネットワークで接続された中央監視端末２を中央指令所１に配置して、中央監視端末２で設備状態全体を監視制御させ、駅監視端末３での異常時あるいは操作員の不在時に、中央監視端末２の画面上の切り替えボタン１１操作により駅監視端末３の監視制御機能を停止して中央監視端末２でのみ該駅の設備状態を監視制御するように切り替える。【選択図】        図１
2006295525.tif 000002
【特許請求の範囲】
【請求項１】
複数のエリア内の設備状態を該各エリア内にて監視制御する各監視端末と、指令所に配置されて上記各監視端末とネットワークで接続され、上記複数のエリア内の設備状態全体を監視制御する中央監視端末とを備え、
上記中央監視端末は、上記各エリア内の上記監視端末における監視制御機能を停止する停止手段を有し、該停止手段による上記監視制御機能の停止期間、該エリア内の設備状態を上記中央監視端末のみで監視制御することを特徴とする設備状態監視制御システム。
【請求項２】
上記中央監視端末および上記各エリア内の監視端末は、上記各エリア内の設備状態を表示して監視する監視手段と、該設備状態への制御を入力する制御入力手段とをそれぞれ有し、
上記中央監視端末は、上記制御入力手段による入力を有効／無効とする切り替え手段を有し、
上記切り替え手段は、上記停止手段による上記停止期間には上記制御入力手段による制御入力を有効とすることを特徴とする請求項１記載の設備状態監視制御システム。
【請求項３】
上記中央監視端末を複数個備え、各中央監視端末には、互いに異なる担当監視エリアとなる所定の１あるいは複数の上記エリアが設定され、該複数の中央監視端末で全エリアを分担して設備状態を監視制御し、
上記各中央監視端末は、上記担当監視エリア内の設備状態を監視制御する定常モードと、他の中央監視端末の上記担当監視エリア内の設備状態を、自身の担当監視エリア内の設備状態と併せて監視制御する支援モードとを切り替える手段を有することを特徴とする請求項１または２記載の設備状態監視制御システム。
【請求項４】
上記各エリアの設備状態は、該エリアを上記定常モードにて監視制御する中央監視端末と、該エリアを上記支援モードにて監視制御する中央監視端末との複数の中央監視端末にて監視制御可能としたことを特徴とする請求項３記載の設備状態監視制御システム。
【請求項５】
上記各中央監視端末は、複数の識別記号に対し該識別記号毎に所定の１あるいは複数の上記エリアを予め記憶し、該中央監視端末の操作にて該識別記号を指定することにより、上記担当監視エリアを設定することを特徴とする上記請求項３または４記載の設備状態監視制御システム。
【請求項６】
上記各中央監視端末は、他の中央監視端末との間で互いに通信状態を監視する手段と、該監視により他の中央監視端末の通信異常を検出して報知する手段とを有することを特徴とする請求項３〜５のいずれかに記載の設備状態監視制御システム。
【請求項７】
上記各中央監視端末は、他の中央監視端末の通信異常を検出すると、該他の中央監視端末の上記担当監視エリア内の設備状態を、自身の担当監視エリア内の設備状態と併せて監視制御する上記支援モードに自動的に切り替えることを特徴とする請求項６記載の設備状態監視制御システム。
【発明の詳細な説明】
【技術分野】
【０００１】
この発明は、設備状態を複数エリアに分割して監視制御する設備状態監視制御システムに関するものである。
【背景技術】
【０００２】
従来の監視制御システムとしてのエリア分散型ネットワーク監視システムは、システム監視装置と、複数のエリアサーバと、各エリア内の監視情報を収集する情報収集装置と、各エリア内の前記監視情報を監視する監視端末とで構成される。前記エリアサーバは前記監視端末の障害検出時に前記システム監視装置に監視端末変更依頼をする。前記システム監視装置は前記監視端末変更依頼により別のエリアサーバに対し前記障害が検出された監視端末のバックアップを指示し、前記別のエリアサーバの監視端末は前記監視端末の障害が検出されたエリア内の監視情報を自エリア内の監視情報と併せて監視する（例えば、特許文献１参照）。
【０００３】
【特許文献１】特開平１１−２７２６１２号公報
【発明の開示】
【発明が解決しようとする課題】
【０００４】
このような従来の設備状態監視制御システムでは、各エリア内の監視端末が異常の場合、他エリアの監視端末でバックアップするものである。このため操作員は、他エリアの監視端末でバックアップする場合に、他エリアの設備状態についての知識も必要となり、操作員の負荷が大きいものであった。
【０００５】
この発明は、上記のような問題点を解消するために成されたものであって、複数のエリア内の設備状態を各エリアに監視端末を有して監視制御する設備状態監視制御システムにおいて、上記監視端末に異常が発生しても、容易に該監視端末のバックアップを可能にして、各監視端末の操作員の負荷を軽減し、システムの信頼性を向上することを目的とする。
【課題を解決するための手段】
【０００６】
この発明による設備状態監視制御システムは、複数のエリア内の設備状態を該各エリア内にて監視制御する各監視端末と、指令所に配置されて上記各監視端末とネットワークで接続され、上記複数のエリア内の設備状態全体を監視制御する中央監視端末とを備える。そして上記中央監視端末は、上記各エリア内の上記監視端末における監視制御機能を停止する停止手段を有し、該停止手段による上記監視制御機能の停止期間、該エリア内の設備状態を上記中央監視端末のみで監視制御するものである。
【発明の効果】
【０００７】
このような設備状態監視制御システムでは、複数のエリア内の設備状態を該各エリア内にて監視制御する各監視端末と別に、中央監視端末を備え、中央監視端末でも各エリア内の設備状態を監視制御させるため、システムの信頼性が向上する。また、中央監視端末に上記監視端末における監視制御機能を停止する停止手段を有し、該停止手段による上記監視制御機能の停止期間、該エリア内の設備状態を上記中央監視端末のみで監視制御するようにしたため、各エリア内の監視端末に障害が発生しても、また、該監視端末の操作員が不在時などの場合にも、容易に該監視端末を停止して中央監視端末のみの監視制御に切り替えることができる。このように、定常的に各エリアの設備状態を監視制御している中央監視端末で各エリアの監視端末のバックアップを行うため、各監視端末の操作員の負荷を軽減し、システムの信頼性が向上する。
【発明を実施するための最良の形態】
【０００８】
実施の形態１．
以下、この発明の実施の形態１による設備状態監視制御システムを図１に基づいて説明する。ここでは、各駅の設備状態を監視制御するシステムを示す。
図に示すように、中央指令所１に配置された中央監視端末２と、複数のエリアとしての複数の駅（Ａ駅、Ｂ駅、Ｃ駅）のそれぞれに設けられたＡ駅監視端末３、Ｂ駅監視端末４、Ｃ駅監視端末５とをネットワークで接続する。各駅監視端末３、４、５は、各駅内の設備状態を監視のために表示する監視手段としてのグラフィック監視ウィンドウ３ａ、４ａ、５ａと、設備状態を操作するための制御入力手段としての操作用ウィンドウ３ｂ、４ｂ、５ｂとを備える。そして、操作員が各駅監視端末３、４、５により、それぞれ各駅内の照明、エスカレータ、換気設備、ポンプなどの設備状態を監視すると共に必要に応じて制御入力を行う。
【０００９】
中央監視端末２は、Ａ駅、Ｂ駅、Ｃ駅の設備状態全体を監視制御するもので、各駅監視端末３〜５が備える各グラフィック監視ウィンドウ３ａ〜５ａおよび各操作用ウィンドウ３ｂ〜５ｂの全てを表示可能であるが、定常時は各グラフィック監視ウィンドウ３ａ〜５ａのみを表示して、中央指令所１内の操作員は各駅の設備状態を監視する。また、中央監視端末２には各駅監視端末３〜５に対応した監視制御機能を停止させる停止手段となる切り換えボタン１１を備え、この切り換えボタン１１の操作により対応する駅監視端末３〜５の監視制御機能を停止し、中央監視端末２のみでその駅の設備状態を監視制御するよう切り替える。
ここでは、Ａ駅対応の切り換えボタン１１を操作して、Ａ駅監視端末３の監視制御機能を停止させてＡ駅監視端末３のグラフィック監視ウィンドウ３ａおよび操作用ウィンドウ３ｂを非表示とし、替わりに中央監視端末２側の操作用ウィンドウ３ｂを表示してＡ駅の設備状態への制御入力を可能とする。なお、切り替えボタン１１の操作は、マウスにて画面上の切り替えボタン１１をクリックする等の操作である。
【００１０】
次に、各駅監視端末３〜５におけるウィンドウ画面である各グラフィック監視ウィンドウ３ａ〜５ａおよび各操作用ウィンドウ３ｂ〜５ｂの具体例を、各駅の３つのポンプ設備について図２に基づいて説明する。
各グラフィック監視ウィンドウ３ａ〜５ａでは機器をグラフィカルなシンボルで表現すると共に運転、停止の状態を文字にて表示する。また各操作用ウィンドウ３ｂ〜５ｂでは運転、停止の文字をマウスでクリックすることにより機器に対して制御指令を出力する。
【００１１】
この実施の形態では、各駅の設備状態を監視制御する各駅監視端末３〜５とネットワークで接続された中央監視端末２を中央指令所に配置して、中央監視端末２で設備状態全体を監視制御する。そして、切り替えボタン１１操作により駅監視端末３の監視制御機能を停止して中央監視端末２でのみ該駅の設備状態を監視制御するように切り替える。このため、各駅の監視端末３〜５に障害が発生しても、容易に該駅監視端末３〜５を停止して中央監視端末２のみの監視制御に切り替えることができる。このように、定常的に各駅の設備状態を監視制御している中央監視端末２で各駅監視端末３〜５のバックアップを行うため、操作員は異常時のための特別な知識を必要とせず負荷が軽減すると共に、システムの信頼性が向上する。
また、各駅監視端末３〜５に障害が発生した場合に限らず、無人駅時間帯にて各駅の操作員が不在となる場合にも、切り替えボタン１１の操作により各駅監視端末３〜５から中央監視端末２に監視制御業務を移管して各駅監視端末３〜５での不正操作を抑止することが出来る。
【００１２】
また、中央監視端末２は各グラフィック監視ウィンドウ３ａ〜５ａおよび各操作用ウィンドウ３ｂ〜５ｂの全てを表示可能であるが、定常時は各グラフィック監視ウィンドウ３ａ〜５ａのみを表示して、各操作用ウィンドウ３ｂ〜５ｂからの制御入力を停止するため、各駅監視端末３〜５と中央監視端末２との双方から制御入力して混乱を招くことを防止する。
なお、中央監視端末２に、制御入力の有効／無効を切り替え手段としての切り替えボタン（図示せず）を備えて所望の操作用ウィンドウ３ｂ〜５ｂを表示させ、設備状態への制御を入力可能とすることで、各駅監視端末３〜５のバックアップ時に限らず所望の設備状態を操作できる。この場合、各駅監視端末３〜５側と中央監視端末２側とは、互いに制御入力の情報を確認し合う、あるいは各駅監視端末３〜５側の入力を一時的に停止させる等により双方から制御入力して混乱を招くことを防止する。
また、操作用ウィンドウ３ｂ〜５ｂは常に表示させ、入力を受け付けるかどうかを切り替えることにより制御入力の有効／無効を切り替えても良い。
【００１３】
実施の形態２．
次に、この発明の実施の形態２による設備状態監視制御システムを図３に基づいて説明する。
上記実施の形態１では１個の中央監視端末２を示したが、この実施の形態２では、第１の中央監視端末２ａと第２の中央監視端末２ｂとの２個の中央監視端末２ａ、２ｂと各駅監視端末３〜５とをネットワークで接続する。各駅監視端末３〜５は上記実施の形態１と同様に、グラフィック監視ウィンドウ３ａ〜５ａおよび操作用ウィンドウ３ｂ〜５ｂを備えて設備状態を監視すると共に必要に応じて制御入力を行う。
【００１４】
各中央監視端末２ａ、２ｂは、各駅監視端末３〜５が備える各グラフィック監視ウィンドウ３ａ〜５ａおよび各操作用ウィンドウ３ｂ〜５ｂの全てを表示可能であるが、定常時はＡ駅、Ｂ駅、Ｃ駅の設備状態全体を分担して監視制御し、特に制御入力の必要がない場合は上記実施の形態１と同様に各グラフィック監視ウィンドウ３ａ〜５ａのみを表示する。
各中央監視端末２ａ、２ｂは、それぞれ第１、第２の切り替えボタン１２ａ、１２ｂを備え、定常時には第１の中央監視端末２ａは第１の切り替えボタン１２ａを選択してＡ駅とＢ駅とを担当監視エリアとして監視制御し、第２の中央監視端末２ｂは第２の切り替えボタン１２ｂを選択してＣ駅を担当監視エリアとして監視制御する。即ち、図に示すように、定常時には、第１の中央監視端末２ａはグラフィック監視ウィンドウ３ａ、４ａを表示して、第２の中央監視端末２ｂはグラフィック監視ウィンドウ５ａを表示する。
【００１５】
各中央監視端末２ａ、２ｂは、上記実施の形態１と同様に、各駅監視端末３〜５の監視制御機能を停止して中央監視端末２ａ、２ｂでのみ該駅の設備状態を監視制御するように切り替える機能を有するが、ここではその切り替えボタンの図示および説明は省略する。
第１、第２の切り替えボタン１２ａ、１２ｂは、定常時の担当監視エリアを割り当てるだけでなく、例えば、図４で示すように、第１の中央監視端末２ａにて第１の切り替えボタン１２ａと第２の切り替えボタン１２ｂとの双方を選択することにより、第２の中央監視端末２ｂの担当監視エリアであるＣ駅についても自身の担当監視エリアであるＡ駅、Ｂ駅と共に、監視制御することができる。
【００１６】
このように、各中央監視端末２ａ、２ｂは、互いに異なる担当監視エリアを監視制御する定常モードと、他の中央監視端末２ａ、２ｂの担当監視エリアをバックアップして自身の担当監視エリアと併せて監視制御する支援モードとを切り替えるようにする。このため、中央監視端末２ａ、２ｂの一方に障害が発生しても、容易に他方の中央監視端末２ａ、２ｂが支援モードにてバックアップでき、システムの信頼性が向上する。また、障害が発生した場合に限らず、操作員が離席する際にも、容易に他の中央監視端末２ａ、２ｂでバックアップでき、その後定常モードに速やかに復帰させることができる。
【００１７】
なお、この実施の形態では中央監視端末２ａ、２ｂを２個としたが、３個以上でも良く、それぞれ互いに異なる担当監視エリアを監視制御することで、複数の中央監視端末で全駅の設備状態を分担して監視制御する。
また、各駅の設備状態は、該駅を担当監視エリアとして定常モードにて監視制御する１個の中央監視端末と、担当監視エリア外であるが支援モードにて監視制御する中央監視端末との２個以上の中央監視端末で監視制御可能とする。これにより、各駅の設備状態には必ずバックアップの監視制御態勢が準備され、システムの信頼性が向上する。
【００１８】
実施の形態３．
次に、この発明の実施の形態３による設備状態監視制御システムを図５に基づいて説明する。
上記実施の形態２では、第１、第２の切り替えボタン１２ａ、１２ｂを用いて、各中央監視端末２ａ、２ｂにおける定常時の担当監視エリアを割り当てると共に、定常モードと支援モードとの切り替えを行ったが、この実施の形態３では、中央監視端末２ａ、２ｂのログイン画面１３ａ、１３ｂにて識別記号としてのユーザ名を入力することにより定常時の担当監視エリアを割り当てる。
【００１９】
各中央監視端末２ａ、２ｂでは、各ユーザ名毎に予め設定された担当監視エリアを記憶し、定常時には第１の中央監視端末２ａはＵＳＥＲ１を指定してＡ駅とＢ駅とを担当監視エリアとして監視制御し、第２の中央監視端末２ｂはＵＳＥＲ２を指定してＣ駅を担当監視エリアとして監視制御する。なお、ここでは各グラフィック監視ウィンドウ３ａ〜５ａおよび各操作用ウィンドウ３ｂ〜５ｂを表示するものとし、図５（ａ）に示すように、定常時には、第１の中央監視端末２ａはグラフィック監視ウィンドウ３ａ、４ａおよび操作用ウィンドウ３ｂ、４ｂを表示して、第２の中央監視端末２ｂはグラフィック監視ウィンドウ５ａおよび操作用ウィンドウ５ｂを表示する。また、図５（ｂ）に示すような、ユーザ毎に各ウィンドウ３ａ〜５ａ、３ｂ〜５ｂの表示／非表示が設定された表示権限一覧を各中央監視端末２ａ、２ｂが記憶することで、担当監視エリアの記憶を兼用しても良い。
【００２０】
この場合も、各中央監視端末２ａ、２ｂは、上記実施の形態１と同様に、各駅監視端末３〜５の監視制御機能を停止して中央監視端末２ａ、２ｂでのみ該駅の設備状態を監視制御するように切り替える機能を有する。
また、ログイン画面１３ａ、１３ｂでのユーザ名の指定は、定常時の担当監視エリアを割り当てるだけでなく、例えば、第１の中央監視端末２ａにてＵＳＥＲ１、ＵＳＥＲ２の双方を指定することにより、第２の中央監視端末２ｂの担当監視エリアであるＣ駅についても自身の担当監視エリアであるＡ駅、Ｂ駅と共に、監視制御することができる。
【００２１】
このように、各中央監視端末２ａ、２ｂは、互いに異なる担当監視エリアを監視制御する定常モードと、他の中央監視端末２ａ、２ｂの担当監視エリアをバックアップして自身の担当監視エリアと併せて監視制御する支援モードとをユーザ名の指定により切り替えるようにする。このため、中央監視端末２ａ、２ｂの一方に障害が発生したり、操作員が離席する際、容易に他方の中央監視端末２ａ、２ｂが支援モードにてバックアップでき、上記実施の形態２と同様にシステムの信頼性が向上する。
【００２２】
なお、支援モードへ切り替える際、複数のユーザ名を指定するようにしたが、複数のユーザに対応する複数の担当監視エリアに対して新たなユーザ名（ＵＳＥＲ３）を設定して記憶しておくことにより、ユーザ名にＵＳＥＲ３を指定して同様の処理ができる。
【００２３】
実施の形態４．
次に、この発明の実施の形態４による設備状態監視制御システムを図６に基づいて説明する。
上記実施の形態２、３では、支援モードへの切り替えは、操作員の判断により切り替えボタンを操作、あるいはユーザ名を指定することによって行ったが、この実施の形態４では、各中央監視端末２ａ、２ｂが他の中央監視端末２ａ、２ｂの通信状態を相互にチェックしており、他の中央監視端末２ａ、２ｂの通信異常を検出すると、切り替えボタン１５ａ、１５ｂを表示する。この切り替えボタン１５ａ、１５ｂは異常時のみ表示するもので、これにより他の中央監視端末の２ａ、２ｂの通信異常を報知する。
切り替えボタン１５ａ、１５ｂが表示され、操作員が該切り替えボタン１５ａ、１５ｂを操作することにより、支援モードに切り替わり、他の中央監視端末の２ａ、２ｂをバックアップする。
【００２４】
このように、各中央監視端末２ａ、２ｂは相互に通信状態をチェックするライブチェックにて通信異常を検出すると、相手端末が故障して設備状態の監視制御機能がサービス停止したものと判断して、画面上に切り替えボタン１５ａ、１５ｂを表示する。このため、他の中央監視端末２ａ、２ｂの通信異常を速やかに報知して、支援モードでのバックアップを操作員に促し、速やかに支援モードに切り替えて、異常が発生した中央監視端末２ａ、２ｂの監視制御をバックアップすることができる。
【００２５】
なお、この実施の形態では、各中央監視端末２ａ、２ｂは相手端末の通信異常を検出すると、切り替えボタン１５ａ、１５ｂを表示して支援モードでのバックアップを操作員に促すものとしたが、相手端末の通信異常を検出すると、画面上にて報知すると共に、自動的に支援モードに切り替えて異常が発生した中央監視端末２ａ、２ｂの監視制御をバックアップするようにしても良い。その場合、速やか、かつ確実に異常時のバックアップが実施できる。
【図面の簡単な説明】
【００２６】
【図１】この発明の実施の形態１による設備状態監視制御システムの構成および動作を示す図である。
【図２】この発明の実施の形態１による各ウィンドウ画面を示す図である。
【図３】この発明の実施の形態２による設備状態監視制御システムの構成および動作を示す図である。
【図４】この発明の実施の形態２による設備状態監視制御システムの動作を示す図である。
【図５】この発明の実施の形態３による設備状態監視制御システムの構成および動作を示す図である。
【図６】この発明の実施の形態４による設備状態監視制御システムの構成および動作を示す図である。
【符号の説明】
【００２７】
１  中央指令所、２  中央監視端末、２ａ  第１の中央監視端末、
２ｂ  第２の中央監視端末、３  Ａ駅監視端末、４  Ｂ駅監視端末、５  Ｃ駅監視端末、３ａ，４ａ，５ａ  監視手段としてのグラフィック監視ウィンドウ、
３ｂ，４ｂ，５ｂ  制御入力手段としての操作用ウィンドウ、１１  切り替えボタン、
１２ａ，１２ｂ  切り替えボタン、１３ａ，１３ｂ  ログイン画面、
１５ａ，１５ｂ  切り替えボタン。
【図１】
2006295525.tif 000003
【図２】
2006295525.tif 000004
【図３】
2006295525.tif 000005
【図４】
2006295525.tif 000006
【図５】
2006295525.tif 000007
【図６】
2006295525.tif 000008